(57)【特許請求の範囲】
【請求項１】
画像形成装置と該画像形成装置と通信可能な携帯情報装置とで構成される連携システムであって、
携帯情報装置は、画像を表示する色を定めるパラメータが設定される第１表示手段と、
前記画像形成装置から受信される遠隔操作画面を前記第１表示手段に表示し、前記遠隔操作画面に従ってユーザーにより入力される遠隔操作を前記画像形成装置に送信する遠隔操作手段と、を備え、
前記画像形成装置は、画像を表示する色を定めるパラメータが設定される第２表示手段と、
操作画面を前記第２表示手段に表示する装置側表示制御手段と、
前記第２表示手段に表示された操作画面に関連する遠隔操作画面を前記携帯情報装置に送信し、前記遠隔操作画面の送信に応じて前記携帯情報装置から受信される遠隔操作に従って処理を実行する遠隔制御手段と、を備え、
前記携帯情報装置および前記画像形成装置のいずれか一方は、前記画像形成装置と前記携帯情報装置との間の距離を取得する距離取得手段と、
前記取得された距離に基づいて、更新用パラメータを決定する決定手段と、を備え、
前記遠隔操作手段は、前記第１表示手段に設定されたパラメータを、前記決定手段により決定された更新用パラメータで更新するパラメータ変更手段を含む、連携システム。
【請求項２】
前記決定手段は、前記取得された距離と、遠隔操作が開始された時点に前記第１表示手段に設定されたパラメータである携帯パラメータと、前記第２表示手段に設定されているパラメータである装置パラメータとに基づいて、前記更新用パラメータを決定する、請求項１に記載の連携システム。
【請求項３】
前記決定手段は、遠隔操作が開始された時点から、前記取得された距離が第１の距離になるまでの接近期間の間は、遠隔操作が開始された時点に前記第１表示手段に設定されたパラメータが前記第２表示手段に設定されたパラメータと同じ値になるまで前記携帯情報装置と前記画像形成装置との間の距離が短いほど、前記更新用パラメータを前記第２表示手段に設定されたパラメータに近い値に決定する接近期間決定手段を含む、請求項２に記載の連携システム。
【請求項４】
前記決定手段は、前記取得された距離が第１の距離になってから前記第１の距離より長くなる期間であって遠隔操作が終了するまでの離反期間の間は、前記第１表示手段に設定されたパラメータが、遠隔操作が開始された時点に前記第１表示手段に設定されたパラメータと同じ値になるまで、前記携帯情報装置と前記画像形成装置との間の距離が長いほど、前記更新用パラメータを遠隔操作が開始された時点に前記第１表示手段に設定されたパラメータに近い値に決定する離反期間決定手段を含む、請求項３に記載の連携システム。
【請求項５】
前記決定手段は、前記離反期間の間は、前記取得された距離が前記第１の距離より長い第２の距離以上になるまで更新用パラメータを決定しない連携中禁止手段を、さらに含む請求項４に記載の連携システム。
【請求項６】
前記決定手段は、前記取得された距離が前記第１の距離以下の間は、更新用パラメータを前記装置パラメータに決定する連携期間決定手段を含む、請求項３〜５のいずれかに記載の連携システム。
【請求項７】
画像を表示する色を定めるパラメータが設定される第１表示手段を備えた携帯情報装置によって遠隔制御される画像形成装置であって、
画像を表示する色を定めるパラメータが設定される第２表示手段と、
操作画面を前記第２表示手段に表示する装置側表示制御手段と、
前記第２表示手段に表示された操作画面に関連する遠隔操作画面を前記携帯情報装置に送信し、前記遠隔操作画面の送信に応じて前記携帯情報装置から受信される遠隔操作に従って処理を実行する遠隔制御手段と、
前記携帯情報装置との間の距離を取得する距離取得手段と、を備え、
前記遠隔制御手段は、前記取得された距離に基づいて、更新用パラメータを決定する決定手段と、
前記携帯情報装置に、前記第１表示手段に設定されたパラメータを、前記決定された更新用パラメータで更新させるパラメータ変更指示手段と、を備えた画像形成装置。
【請求項８】
画像を表示する色を定めるパラメータが設定される第１表示手段と、
画像を表示する色を定めるパラメータが設定される第２表示手段を備えた画像形成装置から、前記第２表示手段に表示された操作画面に関連する遠隔操作画面を受信する受信手段と、
前記受信された遠隔操作画面を前記第１表示手段に表示する第１表示制御手段と、
前記表示された遠隔操作画面に従ってユーザーにより入力される遠隔操作に従った処理を前記画像形成装置に実行させるために、前記遠隔操作を前記画像形成装置に送信する遠隔操作送信手段と、
前記画像形成装置との間の距離を取得する距離取得手段と、
前記取得された距離に基づいて、更新用パラメータを決定する決定手段と、
前記第１表示手段に設定されたパラメータを、前記決定された更新用パラメータで更新するパラメータ変更手段と、を備えた携帯情報装置。
【請求項９】
画像を表示する色を定めるパラメータが設定される第２表示手段を備え、画像を表示する色を定めるパラメータが設定される第１表示手段を備えた携帯情報装置によって遠隔制御される画像形成装置で実行される遠隔制御方法であって、
操作画面を前記第２表示手段に表示する装置側表示制御ステップと、
前記第２表示手段に表示された操作画面に関連する遠隔操作画面を前記携帯情報装置に送信するステップと、
前記遠隔操作画面の送信に応じて前記携帯情報装置から受信される遠隔操作に従って処理を実行する遠隔制御ステップと、
前記携帯情報装置との間の距離を取得する距離取得ステップと、を含み、
前記遠隔制御ステップは、前記取得された距離に基づいて、更新用パラメータを決定する決定ステップと、
前記携帯情報装置に、前記第１表示手段に設定されたパラメータを、前記決定された更新用パラメータで更新させるパラメータ変更指示ステップと、を含む遠隔制御方法。
【請求項１０】
画像を表示する色を定めるパラメータが設定される第１表示手段を備え、画像を表示する色を定めるパラメータが設定される第２表示手段を備えた画像形成装置を遠隔制御可能な携帯情報装置で実行される遠隔操作方法であって、
前記画像形成装置から、前記第２表示手段に表示された操作画面に関連する遠隔操作画面を受信する受信ステップと、
前記受信された遠隔操作画面を前記第１表示手段に表示する第１表示制御ステップと、
前記表示された遠隔操作画面に従ってユーザーにより入力される遠隔操作に従った処理を前記画像形成装置に実行させるために、前記遠隔操作を前記画像形成装置に送信する遠隔操作送信ステップと、
前記画像形成装置との間の距離を取得する距離取得ステップと、
前記取得された距離に基づいて、更新用パラメータを決定する決定ステップと、
前記第１表示手段に設定されたパラメータを、前記決定された更新用パラメータで更新するパラメータ変更ステップと、を含む遠隔操作方法。
【請求項１１】
画像を表示する色を定めるパラメータが設定される第２表示手段を備え、画像を表示する色を定めるパラメータが設定される第１表示手段を備えた携帯情報装置によって遠隔制御される画像形成装置を制御するコンピューターで実行される遠隔制御プログラムであって、
操作画面を前記第２表示手段に表示する装置側表示制御ステップと、
前記第２表示手段に表示された操作画面に関連する遠隔操作画面を前記携帯情報装置に送信するステップと、
前記遠隔操作画面の送信に応じて前記携帯情報装置から受信される遠隔操作に従って処理を実行する遠隔制御ステップと、
前記携帯情報装置との間の距離を取得する距離取得ステップと、を前記コンピューターに実行させ、
前記遠隔制御ステップは、前記取得された距離に基づいて、更新用パラメータを決定する決定ステップと、
前記携帯情報装置に、前記第１表示手段に設定されたパラメータを、前記決定された更新用パラメータで更新させるパラメータ変更指示ステップと、を含む遠隔制御プログラム。
【請求項１２】
前記決定ステップは、前記取得された距離と、遠隔操作が開始された時点に前記第１表示手段に設定されたパラメータである携帯パラメータと、前記第２表示手段に設定されているパラメータである装置パラメータとに基づいて、前記更新用パラメータを決定するステップを含む、請求項１１に記載の遠隔制御プログラム。
【請求項１３】
前記決定ステップは、遠隔操作が開始された時点から、前記取得された距離が第１の距離になるまでの接近期間の間は、遠隔操作が開始された時点に前記第１表示手段に設定されたパラメータが前記第２表示手段に設定されたパラメータと同じ値になるまで前記携帯情報装置と前記画像形成装置との間の距離が短いほど、前記更新用パラメータを前記第２表示手段に設定されたパラメータに近い値に決定する接近期間決定ステップを含む、請求項１２に記載の遠隔制御プログラム。
【請求項１４】
画像を表示する色を定めるパラメータが設定される第１表示手段を備え、画像を表示する色を定めるパラメータが設定される第２表示手段を備えた画像形成装置を遠隔制御可能な携帯情報装置を制御するコンピューターで実行される遠隔操作プログラムであって、
前記画像形成装置から、前記第２表示手段に表示された操作画面に関連する遠隔操作画面を受信する受信ステップと、
前記受信された遠隔操作画面を前記第１表示手段に表示する第１表示制御ステップと、
前記表示された遠隔操作画面に従ってユーザーにより入力される遠隔操作に従った処理を前記画像形成装置に実行させるために、前記遠隔操作を前記画像形成装置に送信する遠隔操作送信ステップと、
前記画像形成装置との間の距離を取得する距離取得ステップと、
前記取得された距離に基づいて、更新用パラメータを決定する決定ステップと、
前記第１表示手段に設定されたパラメータを、前記決定された更新用パラメータで更新するパラメータ変更ステップと、を前記コンピューターに実行させる遠隔操作プログラム。
【請求項１５】
前記決定ステップは、前記取得された距離と、遠隔操作が開始された時点に前記第１表示手段に設定されたパラメータである携帯パラメータと、前記第２表示手段に設定されているパラメータである装置パラメータとに基づいて、前記更新用パラメータを決定するステップを含む、請求項１４に記載の遠隔操作プログラム。
【請求項１６】
前記決定ステップは、遠隔操作が開始された時点から、前記取得された距離が第１の距離になるまでの接近期間の間は、遠隔操作が開始された時点に前記第１表示手段に設定されたパラメータが前記第２表示手段に設定されたパラメータと同じ値になるまで前記携帯情報装置と前記画像形成装置との間の距離が短いほど、前記更新用パラメータを前記第２表示手段に設定されたパラメータに近い値に決定する接近期間決定ステップを含む、請求項１５に記載の遠隔操作プログラム。
【発明の詳細な説明】
【技術分野】
【０００１】
この発明は、連携システム、画像形成装置、携帯情報装置、遠隔制御方法、遠隔操作方法、遠隔制御プログラムおよび遠隔操作プログラムに関し、特に、携帯情報装置により遠隔操作される画像形成装置を含む連携システム、その画像形成装置、その画像形成装置で実行される遠隔制御方法および遠隔制御プログラム、その携帯情報装置、その携帯情報装置で実行される遠隔操作方法および遠隔操作プログラムに関する。
【背景技術】
【０００２】
近年、複合機（ＭＦＰ）を、携帯電話等の携帯情報装置を用いて遠隔操作する技術が知られている。この場合、携帯情報装置にＭＦＰを遠隔操作するための遠隔操作画面が表示される。
【０００３】
電子機器で画像を表示する場合、その電子機器の設定によって、同じ色を表示する場合でも異なる色で表示される場合がある。このため、機器間で表示する色を整合する技術としてカラーマッチング技術がある。例えば、特開２００２−３２００９８号公報には、サーバーおよび端末をネットワークに接続したシステムにおいて、サーバーは、システム内の端末やプリンターに対応する複数のプロファイルを格納するプロファイル格納手段と、画像に対する複数の観察条件を格納する観察条件格納手段を有し、これら格納手段から、端末により選択されたプロファイル及び観察条件を抽出し、該プロファイルに対して該観察条件を設定して該プロファイルに基づくカラーマッチングを行う画像処理システムが記載されている。
【０００４】
しかしながら、携帯情報装置は、ユーザーによって携帯して使用されるので使用頻度が比較的多く、ユーザーは、その携帯情報装置に表示される色に慣れている場合が多い。このため、ＭＦＰを遠隔操作するための遠隔操作画面が表示される段階で、カラーマッチングをした画像を表示すると、ユーザーは、違和感を得る場合があるといった問題がある。
【特許文献１】特開２００２−３２００９８号公報
【発明の概要】
【発明が解決しようとする課題】
【０００５】
この発明は上述した問題点を解決するためになされたもので、この発明の目的の１つは、携帯情報装置および画像形成装置それぞれに表示される画像の色を同じにすることが可能な連携システムを提供することである。
【０００６】
この発明の他の目的は、遠隔操作される携帯情報装置に表示される画像の色を、画像形成装置に表示される画像の色と同じにすることが可能な画像形成装置を提供することである。
【０００７】
この発明のさらに他の目的は、携帯情報装置に表示される画像の色を、遠隔操作の対象となる画像形成装置に表示される画像の色と同じにすることが可能な携帯情報装置を提供することである。
【０００８】
この発明のさらに他の目的は、遠隔操作される携帯情報装置に表示される画像の色を、画像形成装置に表示される画像の色と同じにすることが可能な遠隔制御方法および遠隔制御プログラムを提供することである。
【０００９】
この発明のさらに他の目的は、携帯情報装置に表示される画像の色を、遠隔操作の対象となる画像形成装置に表示される画像の色と同じにすることが可能な遠隔操作方法および遠隔操作プログラムを提供することである。
【課題を解決するための手段】
【００１０】
上述した目的を達成するためにこの発明のある局面によれば、連携システムは、画像形成装置と該画像形成装置と通信可能な携帯情報装置とで構成される連携システムであって、携帯情報装置は、画像を表示する色を定めるパラメータが設定される第１表示手段と、画像形成装置から受信される遠隔操作画面を第１表示手段に表示し、遠隔操作画面に従ってユーザーにより入力される遠隔操作を画像形成装置に送信する遠隔操作手段と、を備え、画像形成装置は、画像を表示する色を定めるパラメータが設定される第２表示手段と、操作画面を第２表示手段に表示する装置側表示制御手段と、第２表示手段に表示された操作画面に関連する遠隔操作画面を携帯情報装置に送信し、遠隔操作画面の送信に応じて携帯情報装置から受信される遠隔操作に従って処理を実行する遠隔制御手段と、を備え、携帯情報装置および画像形成装置のいずれか一方は、画像形成装置と携帯情報装置との間の距離を取得する距離取得手段と、取得された距離に基づいて、更新用パラメータを決定する決定手段と、を備え、遠隔操作手段は、第１表示手段に設定されたパラメータを、決定手段により決定された更新用パラメータで更新するパラメータ変更手段を含む。
【００１１】
この局面に従えば、操作画面が画像形成装置の第２表示手段に表示され、操作画面に関連する遠隔操作画面が携帯情報装置の第１表示手段に表示され、画像形成装置と携帯情報装置との間の距離に基づいて、更新用パラメータが決定され、第１表示手段に設定されたパラメータが更新用パラメータで更新される。このため、第１の表示手段に表示される画像の色を変更することができる。その結果、携帯情報装置および画像形成装置それぞれに表示される画像の色を同じにすることが可能な連携システムを提供することができる。
【００１２】
好ましくは、決定手段は、取得された距離と、遠隔操作が開始された時点に第１表示手段に設定されたパラメータである携帯パラメータと、第２表示手段に設定されているパラメータである装置パラメータとに基づいて、更新用パラメータを決定する。
【００１３】
この局面に従えば、画像形成装置と携帯情報装置との間の距離と、携帯パラメータと、装置パラメータとに基づいて、更新用パラメータを決定する。このため、携帯情報装置に表示される画像の色を、画像形成装置に表示されている画像の色と同じ色に徐々に変更することができる。
【００１４】
好ましくは、決定手段は、遠隔操作が開始された時点から、取得された距離が第１の距離になるまでの接近期間の間は、遠隔操作が開始された時点に第１表示手段に設定されたパラメータが第２表示手段に設定されたパラメータと同じ値になるまで携帯情報装置と画像形成装置との間の距離が短いほど、更新用パラメータを第２表示手段に設定されたパラメータに近い値に決定する接近期間決定手段を含む。
【００１５】
好ましくは、決定手段は、取得された距離が第１の距離になってから第１の距離より長くなる期間であって遠隔操作が終了するまでの離反期間の間は、第１表示手段に設定されたパラメータが、遠隔操作が開始された時点に第１表示手段に設定されたパラメータと同じ値になるまで、携帯情報装置と画像形成装置との間の距離が長いほど、更新用パラメータを遠隔操作が開始された時点に第１表示手段に設定されたパラメータに近い値に決定する離反期間決定手段を含む。
【００１６】
好ましくは、決定手段は、離反期間の間は、取得された距離が第１の距離より長い第２の距離以上になるまで更新用パラメータを決定しない連携中禁止手段を、さらに含む。
【００１７】
好ましくは、決定手段は、取得された距離が第１の距離以下の間は、更新パラメータを装置パラメータに決定する連携期間決定手段を含む。
【００１８】
この発明の他の局面に従えば、画像形成装置は、画像を表示する色を定めるパラメータが設定される第１表示手段を備えた携帯情報装置によって遠隔制御される画像形成装置であって、画像を表示する色を定めるパラメータが設定される第２表示手段と、操作画面を第２表示手段に表示する装置側表示制御手段と、第２表示手段に表示された操作画面に関連する遠隔操作画面を携帯情報装置に送信し、遠隔操作画面の送信に応じて携帯情報装置から受信される遠隔操作に従って処理を実行する遠隔制御手段と、携帯情報装置との間の距離を取得する距離取得手段と、を備え、遠隔制御手段は、取得された距離に基づいて、更新用パラメータを決定する決定手段と、携帯情報装置に、第１表示手段に設定されたパラメータを、決定された更新用パラメータで更新させるパラメータ変更指示手段と、を備える。
【００１９】
この局面に従えば、遠隔操作される携帯情報装置に表示される画像の色を、画像形成装置に表示される画像の色と同じにすることが可能な画像形成装置を提供することができる。
【００２０】
この発明のさらに他の局面によれば、携帯情報装置は、画像を表示する色を定めるパラメータが設定される第１表示手段と、画像を表示する色を定めるパラメータが設定される第２表示手段を備えた画像形成装置から、第２表示手段に表示された操作画面に関連する遠隔操作画面を受信する受信手段と、受信された遠隔操作画面を第１表示手段に表示する第１表示制御手段と、表示された遠隔操作画面に従ってユーザーにより入力される遠隔操作に従った処理を画像形成装置に実行させるために、遠隔操作を画像形成装置に送信する遠隔操作送信手段と、画像形成装置との間の距離を取得する距離取得手段と、取得された距離に基づいて、更新用パラメータを決定する決定手段と、第１表示手段に設定されたパラメータを、決定された更新用パラメータで更新するパラメータ変更手段と、を備える。
【００２１】
この局面に従えば、携帯情報装置に表示される画像の色を、遠隔操作の対象となる画像形成装置に表示される画像の色と同じにすることが可能な携帯情報装置を提供することができる。
【００２２】
この発明のさらに他の局面によれば、遠隔制御方法は、画像を表示する色を定めるパラメータが設定される第２表示手段を備え、画像を表示する色を定めるパラメータが設定される第１表示手段を備えた携帯情報装置によって遠隔制御される画像形成装置で実行される遠隔制御方法であって、操作画面を第２表示手段に表示する装置側表示制御ステップと、第２表示手段に表示された操作画面に関連する遠隔操作画面を携帯情報装置に送信するステップと、遠隔操作画面の送信に応じて携帯情報装置から受信される遠隔操作に従って処理を実行する遠隔制御ステップと、携帯情報装置との間の距離を取得する距離取得ステップと、を含み、遠隔制御ステップは、取得された距離に基づいて、更新用パラメータを決定する決定ステップと、携帯情報装置に、第１表示手段に設定されたパラメータを、決定された更新用パラメータで更新させるパラメータ変更指示ステップと、を含む。
【００２３】
この局面に従えば、遠隔操作される携帯情報装置に表示される画像の色を、画像形成装置に表示される画像の色と同じにすることが可能な遠隔制御方法を提供することができる。
【００２４】
この発明のさらに他の局面によれば、遠隔操作方法は、画像を表示する色を定めるパラメータが設定される第１表示手段を備え、画像を表示する色を定めるパラメータが設定される第２表示手段を備えた画像形成装置を遠隔制御可能な携帯情報装置で実行される遠隔操作方法であって、画像形成装置から、第２表示手段に表示された操作画面に関連する遠隔操作画面を受信する受信ステップと、受信された遠隔操作画面を第１表示手段に表示する第１表示制御ステップと、表示された遠隔操作画面に従ってユーザーにより入力される遠隔操作に従った処理を画像形成装置に実行させるために、遠隔操作を画像形成装置に送信する遠隔操作送信ステップと、画像形成装置との間の距離を取得する距離取得ステップと、取得された距離に基づいて、更新用パラメータを決定する決定ステップと、第１表示手段に設定されたパラメータを、決定された更新用パラメータで更新するパラメータ変更ステップと、を含む。
【００２５】
この局面に従えば、携帯情報装置に表示される画像の色を、遠隔操作の対象となる画像形成装置に表示される画像の色と同じにすることが可能な遠隔操作方法を提供することができる。
【００２６】
この発明のさらに他の局面によれば、遠隔制御プログラムは、画像を表示する色を定めるパラメータが設定される第２表示手段を備え、画像を表示する色を定めるパラメータが設定される第１表示手段を備えた携帯情報装置によって遠隔制御される画像形成装置を制御するコンピューターで実行される遠隔制御プログラムであって、操作画面を第２表示手段に表示する装置側表示制御ステップと、第２表示手段に表示された操作画面に関連する遠隔操作画面を携帯情報装置に送信するステップと、遠隔操作画面の送信に応じて携帯情報装置から受信される遠隔操作に従って処理を実行する遠隔制御ステップと、をコンピューターに実行させ、遠隔制御ステップは、携帯情報装置との間の距離を取得する距離取得ステップと、取得された距離に基づいて、更新用パラメータを決定する決定ステップと、携帯情報装置に、第１表示手段に設定されたパラメータを、決定された更新用パラメータで更新させるパラメータ変更指示ステップと、を含む。
【００２７】
この局面に従えば、遠隔操作される携帯情報装置に表示される画像の色を、画像形成装置に表示される画像の色と同じにすることが可能な遠隔制御プログラムを提供することができる。
好ましくは、決定ステップは、取得された距離と、遠隔操作が開始された時点に第１表示手段に設定されたパラメータである携帯パラメータと、第２表示手段に設定されているパラメータである装置パラメータとに基づいて、更新用パラメータを決定するステップを含む。
好ましくは、決定ステップは、遠隔操作が開始された時点から、取得された距離が第１の距離になるまでの接近期間の間は、遠隔操作が開始された時点に第１表示手段に設定されたパラメータが第２表示手段に設定されたパラメータと同じ値になるまで携帯情報装置と画像形成装置との間の距離が短いほど、更新用パラメータを第２表示手段に設定されたパラメータに近い値に決定する接近期間決定ステップを含む。
【００２８】
この発明のさらに他の局面によれば、遠隔操作プログラムは、画像を表示する色を定めるパラメータが設定される第１表示手段を備え、画像を表示する色を定めるパラメータが設定される第２表示手段を備えた画像形成装置を遠隔制御可能な携帯情報装置を制御するコンピューターで実行される遠隔操作プログラムであって、画像形成装置から、第２表示手段に表示された操作画面に関連する遠隔操作画面を受信する受信ステップと、受信された遠隔操作画面を第１表示手段に表示する第１表示制御ステップと、表示された遠隔操作画面に従ってユーザーにより入力される遠隔操作に従った処理を画像形成装置に実行させるために、遠隔操作を画像形成装置に送信する遠隔操作送信ステップと、画像形成装置との間の距離を取得する距離取得ステップと、取得された距離に基づいて、更新用パラメータを決定する決定ステップと、第１表示手段に設定されたパラメータを、決定された更新用パラメータで更新するパラメータ変更ステップと、をコンピューターに実行させる。
【００２９】
この局面に従えば、携帯情報装置に表示される画像の色を、遠隔操作の対象となる画像形成装置に表示される画像の色と同じにすることが可能な遠隔操作プログラムを提供することができる。
好ましくは、決定ステップは、取得された距離と、遠隔操作が開始された時点に第１表示手段に設定されたパラメータである携帯パラメータと、第２表示手段に設定されているパラメータである装置パラメータとに基づいて、更新用パラメータを決定するステップを含む。
好ましくは、決定ステップは、遠隔操作が開始された時点から、取得された距離が第１の距離になるまでの接近期間の間は、遠隔操作が開始された時点に第１表示手段に設定されたパラメータが第２表示手段に設定されたパラメータと同じ値になるまで携帯情報装置と画像形成装置との間の距離が短いほど、更新用パラメータを第２表示手段に設定されたパラメータに近い値に決定する接近期間決定ステップを含む。
【図面の簡単な説明】
【００３０】
【図１】本発明の実施の形態における連携システムの全体概要の一例を示す図である。
【図２】第１の実施の形態における携帯情報装置のハードウェア構成の概要を示すブロック図である。
【図３】第１の実施の形態におけるＭＦＰのハードウェア構成の概要を示すブロック図である。
【図４】第１の実施の形態における携帯情報装置が備えるＣＰＵの機能の概要の一例を示すブロック図である。
【図５】第１の実施の形態におけるＭＦＰが備えるＣＰＵの機能の概要を示すブロック図である。
【図６】携帯情報装置とＭＦＰとの間の距離と更新用パラメータとの関係の一例を示す図である。
【図７】第１の実施の形態における遠隔制御処理の流れの一例を示すフローチャートである。
【図８】第１の実施の形態におけるパラメータ決定処理の流れの一例を示すフローチャートである。
【図９】第１の実施の形態における遠隔操作処理の流れの一例を示すフローチャートである。
【図１０】第２の実施の形態における携帯情報装置が備えるＣＰＵの機能の概要の一例を示すブロック図である。
【図１１】第２の実施の形態におけるＭＦＰが備えるＣＰＵの機能の概要を示すブロック図である。
【図１２】第２の実施の形態における遠隔制御処理の流れの一例を示すフローチャートである。
【図１３】第２の実施の形態における遠隔操作処理の流れの一例を示すフローチャートである。
【発明を実施するための形態】
【００３１】
以下、本発明の実施の形態について図面を参照して説明する。以下の説明では同一の部品には同一の符号を付してある。それらの名称および機能も同じである。したがってそれらについての詳細な説明は繰返さない。
【００３２】
＜第１の実施の形態＞
図１は、本発明の実施の形態における連携システムの全体概要の一例を示す図である。図１を参照して、連携システム１は、それぞれがネットワーク２に接続されたＭＦＰ（Ｍｕｌｔｉ  Ｆｕｎｃｔｉｏｎ  Ｐｅｒｉｐｈｅｒａｌ）１００，１０１，１０２と、携帯情報装置２００と、サーバー３００と、無線局５００とを含む。
【００３３】
ＭＦＰ１００，１０１，１０２は、画像形成装置の一例である。ＭＦＰ１００，１０１，１０２各々は、原稿を読み取るための原稿読取機能、画像データに基づいて紙などの記録媒体に画像を形成するための画像形成機能およびファクシミリデータを送受信するファクシミリ送受信機能を備えている。なお、本実施の形態においては画像形成装置の一例として、ＭＦＰ１００，１０１，１０２を例に説明するが、ＭＦＰ１００，１０１，１０２に代えて、処理を実行する機能を備えた装置であれば、例えば、プリンター、スキャナ、パーソナルコンピューター等であってもよい。また、ＭＦＰ１００，１０１，１０２は、ハードウェアおよび機能が同じなので以下の説明では特に言及しない限りＭＦＰ１００を例に説明する。
【００３４】
サーバー３００は、一般的なコンピューターであり、情報処理装置の一例である。サーバー３００は、ＭＦＰ１００，１０１，１０２を制御するためのプリンタードライバプログラムがインストールされている。なお、ＭＦＰ１００，１０１，１０２の種類が異なる場合、サーバー３００には、ＭＦＰ１００，１０１，１０２を制御するための３種類のプリンタードライバプログラムがそれぞれインストールされる。
【００３５】
携帯情報装置２００は、ＰＤＡ（Ｐｅｒｓｏｎａｌ  Ｄｉｇｉｔａｌ  Ａｓｓｉｓｔａｎｔｓ）、スマートフォンなど、ユーザーに携帯して使用され、無線ＬＡＮ機能および短距離無線通信機能を備えている。ここでは、携帯情報装置２００を、スマートフォンとしており、通話機能をさらに備えている。このため、携帯情報装置２００は、携帯電話用基地局と無線で通信することにより携帯電話網に接続し、通話が可能である。
【００３６】
ネットワーク２は、ローカルエリアネットワーク（ＬＡＮ）であり、接続形態は有線または無線を問わない。またネットワーク２は、ＬＡＮに限らず、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。さらに、ネットワーク２は、インターネットなどのワイドエリアネットワーク（ＷＡＮ）に接続されている。ＭＦＰ１００，１０１，１０２各々は、ネットワーク２を介してサーバー３００とデータの送受信が可能である。
【００３７】
無線局５００は、ネットワーク２の中継装置であり、無線ＬＡＮ通信機能を備えた携帯情報装置２００と通信して、携帯情報装置２００をネットワーク２に接続する。このため、ＭＦＰ１００，１０１，１０２およびサーバー３００各々は、ネットワーク２および無線局５００を介して携帯情報装置２００とデータの送受信が可能である。
【００３８】
図２は、第１の実施の形態における携帯情報装置のハードウェア構成の概要を示すブロック図である。図２を参照して、携帯情報装置２００は、携帯情報装置２００の全体を制御するためのＣＰＵ２０１と、カメラ２０２と、データを不揮発的に記憶するフラッシュメモリー２０３と、通話部２０５と、通話部２０５と接続された無線通信部２０４と、情報を表示する表示部２０６と、ユーザーの操作の入力を受け付ける操作部２０７と、無線ＬＡＮインターフェース（Ｉ／Ｆ）２０８と、外部記憶装置２０９と、短距離無線通信部２１０と、ＧＰＳセンサー２１１と、を含む。
【００３９】
無線通信部２０４は、電話通信網に接続された携帯電話用基地局と無線通信する。無線通信部２０４は、携帯情報装置２００を電話通信網に接続し、通話部２０５を用いた通話を可能とする。無線通信部２０４は、携帯電話用基地局から受信した無線信号を復調した音声信号を復号して通話部２０５に出力する。また、無線通信部２０４は、通話部２０５から入力される音声を符号化し、携帯電話用基地局に送信する。通話部２０５は、マイクおよびスピーカを備え、無線通信部２０４から入力される音声をスピーカから出力し、マイクから入力される音声を無線通信部２０４に出力する。さらに、無線通信部２０４は、ＣＰＵ２０１により制御され、携帯電話用基地局を介してデータを送受信し、例えば、携帯情報装置２００をインターネットに接続する。このため、携帯情報装置２００は、無線通信部２０４を介してインターネットに接続されたコンピューターと通信可能である。
【００４０】
表示部２０６は、液晶表示装置（ＬＣＤ）、有機ＥＬＤ等の表示装置であり、ユーザーに対する指示メニューや，外部から受信されたデータ等を表示する。
【００４１】
カメラ２０２は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサー等の光電変換素子を備え、レンズで集光した光をＣＭＯＳセンサーに結像し、ＣＭＯＳセンサーは受光した光を光電変換して画像データをＣＰＵ２０１に出力する。なお、ＣＭＯＳセンサーに代えて、ＣＣＤ（Ｃｈａｒｇｅ  Ｃｏｕｐｌｅｄ  Ｄｅｖｉｃｅｓ）を用いてもよい。
【００４２】
カメラ２０２は、表示部２０６が配置される面と反対側の面に、その光軸が表示部２０６の表示面の法線と並行となるように配置される。このため、カメラ２０２で撮像された画像を表示部２０６に表示する場合、ユーザーは、表示部２０６に表示されたれた撮像画像を見ながらカメラ２０２の撮像範囲を定めることができる。
【００４３】
操作部２０７は、複数のキーを備え、キーに対応するユーザーの操作による各種の指示、文字、数字などのデータの入力を受け付ける。操作部２０７は、タッチパネル２０７Ａを含む。タッチパネル２０７Ａは、表示部２０６の表示面中でユーザーにより指示された位置を検出する。タッチパネル２０７Ａは、表示部２０６の上面または下面に設けられ、ユーザーにより指示された位置の座標をＣＰＵ２０１に出力する。タッチパネル２０７Ａは、マルチタッチスクリーンパネルであり、同時に複数の位置がユーザーにより指示される場合、ユーザーにより指示された複数の位置にそれぞれ対応する複数の座標をＣＰＵ２０１に出力する。タッチパネル２０７Ａは、表示部２０６の表示面と同じまたはそれ以上のサイズであるのが好ましい。タッチパネル２０７Ａは、表示部２０６に重畳して設けられるので、タッチパネル２０７Ａは、ユーザーが表示部２０６の表示面を指示すれば、表示部２０６の表示面中でユーザーが指示した１以上の位置にそれぞれ対応する１以上の座標をＣＰＵ２０１に出力する。タッチパネル２０７Ａは、例えば、抵抗膜方式、表面弾性波方式、赤外線方式、電磁誘導方式、静電容量方式を用いることができ、その方式は限定されない。
【００４４】
無線ＬＡＮＩ／Ｆ２０８は、無線ＬＡＮの無線局５００と通信し、携帯情報装置２００をＬＡＮ２に接続するためのインターフェースである。携帯情報装置２００は、無線ＬＡＮＩ／Ｆ２０８が無線局５００と通信する場合、ＭＦＰ１００，１０１，１０２およびサーバー３００と通信可能である。
【００４５】
外部記憶装置２０９は、携帯情報装置２００に着脱自在であり、遠隔操作プログラムを記憶したＣＤ−ＲＯＭ２０９Ａが装着可能である。ＣＰＵ２０１は、外部記憶装置２０９を介してＣＤ−ＲＯＭ２０９Ａにアクセス可能である。ＣＰＵ２０１は、外部記憶装置２０９に装着されたＣＤ−ＲＯＭ２０９Ａに記録された遠隔操作プログラムを、ＣＰＵ２０１が備えるＲＡＭにロードして実行することが可能である。
【００４６】
なお、ＣＰＵ２０１が実行するプログラムとして、フラッシュメモリー２０３またはＣＤ−ＲＯＭ２０９Ａに記録されたプログラムについて説明したが、インターネットに接続された他のコンピューターが、フラッシュメモリー２０３に記憶されたプログラムを書換えたプログラム、または、追加して書き込んだ新たなプログラムであってもよい。さらに、携帯情報装置２００が、インターネットに接続された他のコンピューターからダウンロードしたプログラムでもよい。ここでいうプログラムは、ＣＰＵ２０１が直接実行可能なプログラムだけでなく、ソースプログラム、圧縮処理されたプログラム、暗号化されたプログラム等を含む。
【００４７】
なお、ＣＰＵ２０１が実行するプログラムを記憶する媒体としては、ＣＤ−ＲＯＭ２０９Ａに限られず、光ディスク（ＭＯ／ＭＤ／ＤＶＤ）、ＩＣカード、光カード、マスクＲＯＭ、ＥＰＲＯＭ、ＥＥＰＲＯＭなどの半導体メモリーであってもよい。
【００４８】
短距離無線通信部２１０は、ＭＦＰ１００，１０１，１０２のうち通信可能な範囲内に存在する装置と無線通信する。短距離無線通信部２１０の通信可能な距離は、所定の距離に制限されており、特に限定するものではないが、数メートル以内であるのが好ましい。短距離無線通信部２１０は、通信媒体は限定されず、たとえば、ＩｒＤＡ（Ｉｎｆｒａｒｅｄ  Ｄａｔａ  Ａｓｓｏｃｉａｔｉｏｎ）の通信規格、またはＢｌｕｅｔｏｏｔｈ（登録商標）等の通信規格で無線通信する。短距離無線通信部２１０は、通信可能な距離の範囲内に、通信相手の装置として、例えばＭＦＰ１００が存在する場合には、ＭＦＰ１００を検出し、ＭＦＰ１００と通信可能な状態となる。
【００４９】
ＧＰＳセンサー２１１は、ＧＰＳ（Ｇｌｏｂａｌ  Ｐｏｓｉｔｉｏｎｉｎｇ  Ｓｙｓｔｅｍ）衛星から受信される電波に基づいて、ＭＦＰ１００の現在位置を検出する。ＧＰＳセンサー２１１は、検出した現在位置を示す位置情報をＣＰＵ２０１に出力する。
【００５０】
図３は、第１の実施の形態におけるＭＦＰのハードウェア構成の概要を示すブロック図である。図３を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、ユーザーインターフェースとしての操作パネル１６０と、短距離無線通信部１７０と、を含む。
【００５１】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、ＣＤ−ＲＯＭ１１８が装着される外部記憶装置１１７と、を含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００５２】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００５３】
操作パネル１６０は、ＭＦＰ１００の上面に設けられ、表示部１６１と操作部１６３とを含む。表示部１６１は、液晶表示装置（ＬＣＤ）、有機ＥＬＤ（Ｅｌｅｃｔｒｏ−Ｌｕｍｉｎｅｓｃｅｎｃｅ  Ｄｉｓｐｌａｙ）等の表示装置であり、ユーザーに対する指示メニューや取得した画像データに関する情報等を表示する。操作部１６３は、複数のキーを備え、キーに対応するユーザーの操作による各種の指示、文字、数字などのデータの入力を受付ける。操作部１６３は、表示部１６１上に設けられたタッチパネルをさらに含む。
【００５４】
通信Ｉ／Ｆ部１１２は、ＭＦＰ１００をネットワーク２に接続するためのインターフェースである。ＣＰＵ１１１は、通信Ｉ／Ｆ部１１２を介してＭＦＰ１０１，１０２、ＰＣ１０５または携帯情報装置２００との間で通信し、データを送受信する。また、通信Ｉ／Ｆ部１１２は、ネットワーク２を介してインターネットに接続されたコンピューターと通信が可能である。
【００５５】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００５６】
外部記憶装置１１７は、ＣＤ−ＲＯＭ１１８が装着される。ＣＰＵ１１１は、外部記憶装置１１７を介してＣＤ−ＲＯＭ１１８にアクセス可能である。ＣＰＵ１１１は、外部記憶装置１１７に装着されたＣＤ−ＲＯＭ１１８に記録されたプログラムをＲＡＭ１１４にロードして実行する。なお、ＣＰＵ１１１が実行するプログラムを記憶する媒体としては、ＣＤ−ＲＯＭ１１８に限られず、光ディスク（ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリーであってもよい。
【００５７】
また、ＣＰＵ１１１が実行するプログラムは、ＣＤ−ＲＯＭ１１８に記録されたプログラムに限られず、ＨＤＤ１１５に記憶されたプログラムをＲＡＭ１１４にロードして実行するようにしてもよい。この場合、ネットワーク２に接続された他のコンピューターが、ＭＦＰ１００のＨＤＤ１１５に記憶されたプログラムを書換える、または、新たなプログラムを追加して書き込むようにしてもよい。さらに、ＭＦＰ１００が、ネットワーク２に接続された他のコンピューターからプログラムをダウンロードして、そのプログラムをＨＤＤ１１５に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００５８】
短距離無線通信部１７０は、携帯情報装置２００が通信可能な範囲内に存在する場合、携帯情報装置２００と無線通信する。短距離無線通信部１７０の通信可能な距離は、所定の距離に制限されている。短距離無線通信部１７０は、通信媒体は限定されず、たとえば、ＩｒＤＡの通信規格、またはＢｌｕｅｔｏｏｔｈ（登録商標）等の通信規格で無線通信する。短距離無線通信部１７０は、通信可能な距離の範囲内に、通信相手の装置として、例えば携帯情報装置２００が存在する場合には、携帯情報装置２００を検出し、携帯情報装置２００と通信可能な状態となる。
【００５９】
図４は、第１の実施の形態における携帯情報装置が備えるＣＰＵの機能の概要の一例を示すブロック図である。図４に示す機能は、携帯情報装置２００が備えるＣＰＵ２０１が、フラッシュメモリー２０３、またはＣＤ−ＲＯＭ２１０Ａに記憶された遠隔制御プログラムを実行することにより、ＣＰＵ２０１に形成される機能である。図４を参照して、ＣＰＵ２０１は、短距離無線通信部２１０を制御する通信制御部２５１と、カメラ２０２を制御する撮像制御部２５３と、ＭＦＰ１００，１０１，１０２のいずれかを遠隔操作する遠隔操作部２５５と、を含む。
【００６０】
撮像制御部２５３は、カメラ２０２を制御して、カメラ２０２に撮像させ、カメラ２０２が被写体を撮像して出力する撮像画像を受け付ける。ここでは、カメラ２０２の被写体は、遠隔操作の対象となるＭＦＰ１００としている。撮像制御部２５３は、カメラ２０２が出力する撮像画像を遠隔操作部２５５に出力する。撮像制御部２５３は、通信制御部２５１がＭＦＰ１００との間で通信経路を確立している間、カメラ２０２に被写体を撮像させ、カメラ２０２が連続して出力する撮像画像を遠隔操作部２５５に出力する。
【００６１】
通信制御部２５１は、短距離無線通信部２１０を制御する。通信制御部２５１は、ＭＦＰ１００，１０１，１０２のうち、短距離無線通信部２１０が通信可能となった装置との間で、ネゴシエーションすることにより、通信経路を確立する。短距離無線通信部２１０が、例えば、ＭＦＰ１００と通信可能となる場合は、短距離無線通信部２１０が通信可能な距離の範囲内にＭＦＰ１００が存在する場合である。換言すれば、携帯情報装置２００を操作するユーザーと、ＭＦＰ１００との間の距離が、所定の距離以内になると、通信制御部２５１は、ＭＦＰ１００との間で通信経路を確立する。ネゴシエーションは、ＭＦＰ１００による認証処理を含むようにしてもよい。例えば、ＭＦＰ１００に予め登録されたユーザーＩＤとパスワードとをフラッシュメモリー２０３に予め記憶しておき、そのユーザーＩＤとパスワードとをＭＦＰ１００に送信し、ＭＦＰ１００において認証に成功することを条件に通信経路を確立する。以下、通信制御部２５１がＭＦＰ１００との間で通信経路を確立する場合を例に説明する。
【００６２】
通信制御部２５１は、遠隔操作画面受信部２６１と、遠隔操作送信部２６３と、開始時パラメータ送信部２６５と、変更指示受信部２６７と、を含む。遠隔操作部２５５は、連携部分決定部２７１と、表示部２０６を制御する携帯側表示制御部２７３と、操作部２０７を制御する遠隔操作受付部２７５と、遠隔操作決定部２７７と、開始時パラメータ取得部２７９と、パラメータ変更部２８１と、を含む。
【００６３】
遠隔操作画面受信部２６１は、短距離無線通信部２１０がＭＦＰ１００から受信する遠隔操作画面を取得し、取得された遠隔操作画面を連携部分決定部２７１および遠隔操作決定部２７７に出力する。ＭＦＰ１００が遠隔操作画面を送信するタイミングは、携帯情報装置２００との間で通信経路を確立した直後、および、後述する遠隔操作のうち画面を切り換える遠隔操作を受信した後に、遠隔操作画面を送信する。短距離無線通信部２１０はＭＦＰ１００から遠隔操作画面とともに位置情報を受信する場合がある。遠隔操作画面受信部２６１は、遠隔操作画面とともに受信される位置情報を取得し、遠隔操作画面と位置情報とを連携部分決定部２７１および遠隔操作決定部２７７に出力する。
【００６４】
連携部分決定部２７１は、遠隔操作画面受信部２６１から遠隔操作画面が入力され、撮像制御部２５３から撮像画像が入力される。連携部分決定部２７１は、撮像画像を解析し、ＭＦＰ１００との相対的な位置を検出する。撮像画像中にＭＦＰ１００の少なくとも一部が被写体として含まれる場合、その被写体からＭＦＰ１００の表示部１６１との相対的な位置を決定する。例えば、撮像画像が表示部１６１の表示面の全体を中心に含む場合、カメラ２０２の表示部１６１に対する相対位置は、表示部１６１の表示面の上方である。また、撮像画像が、ＭＦＰ１００の一部であって、表示部１６１の表示面の右側に配置された部分を含む場合、カメラ２０２の表示部１６１に対する相対位置は、表示部１６１の表示面の右側である。
【００６５】
連携部分決定部２７１は、通常モードと連携モードとのいずれか一方に表示モードを決定する。連携部分決定部２７１は、撮像画像から表示部１６１との相対位置が所定の関係となる相対位置を検出する。連携部分決定部２７１は、表示部１６１との相対位置が所定の関係となる相対位置を検出する場合、表示モードを連携モードに決定し、表示部１６１との相対位置が所定の関係とならない相対位置を検出する場合、表示モードを通常モードに決定する。連携部分決定部２７１は、表示モードを連携モードに決定する場合、遠隔操作画面の一部を表示画像に決定し、表示モードを通常モードに決定する場合、遠隔操作画面のすべてを表示画像に決定する。連携部分決定部２７１は、表示画像を携帯側表示制御部２７３および遠隔操作決定部２７７に出力する。
【００６６】
携帯側表示制御部２７３は、表示部２０６を制御し、連携部分決定部２７１から入力される表示画像を、表示部２０６に表示する。遠隔操作受付部２７５は、タッチパネル２０７Ａを制御し、ユーザーが表示部２０６の表示面の任意の位置を指示する場合、指示された位置を検出する。遠隔操作受付部２６９は、検出された表示面中の位置を示す位置情報を遠隔操作決定部２７７に出力する。
【００６７】
連携部分決定部２７１が表示モードを連携モードに決定する場合、遠隔操作画面受信部２６１からは遠隔操作画面と位置情報とが入力される。位置情報は、遠隔操作画面中でＭＦＰ１００が表示部１６１に表示している部分の位置を示す。連携部分決定部２７１は、遠隔操作画面中で表示画像に決定する部分を、位置情報と、表示部１６１との相対位置から決定する。例えば、携帯情報装置２００が表示部１６１の真上に位置する場合、遠隔操作画面中で位置情報により特定される部分を表示画像に決定する。携帯情報装置２００によって、ＭＦＰ１００の表示部１６１に表示された画像は隠れて見えなくなるが、それと同じ表示画像が表示部２０６に表示される。携帯情報装置２００が表示部１６１の右側に位置する場合、遠隔操作画面中で位置情報により特定される部分の右側の部分を表示画像に決定する。操作画面中でＭＦＰ１００の表示部１６１に表示された部分と、表示部１６１に表示された表示画像とを繋がった状態で表示することができる。
【００６８】
遠隔操作決定部２７７は、遠隔操作画面受信部２６１から遠隔操作画面が入力され、連携部分決定部２７１から表示画像が入力され、遠隔操作受付部２７５から位置情報が入力される。遠隔操作決定部２７７は、遠隔操作を決定し、決定された遠隔操作を遠隔操作送信部２６３に出力する。遠隔操作決定部２７７は、遠隔操作受付部２７５から入力される位置情報と、連携部分決定部２７１から入力される表示画像とに基づいて、表示画像中の位置を特定し、表示画像と遠隔操作画面受信部２６１から入力される遠隔操作画面とから遠隔操作画面中の位置を特定する。そして、遠隔操作画面中で特定された位置を示す位置情報を含む遠隔操作を遠隔操作送信部２６３に出力する。
【００６９】
遠隔操作送信部２６３は、遠隔操作決定部２７７から遠隔操作が入力されることに応じて、遠隔操作をＭＦＰ１００に短距離無線通信部２１０を介して送信する。
【００７０】
開始時パラメータ取得部２７９は、遠隔制御の開始時において表示部２０６に設定されているパラメータを取得し、取得されたパラメータを開始時パラメータ送信部２６５に出力する。遠隔制御の開始時は、通信制御部２５１がＭＦＰ１００との間で通信を確立した時点である。表示部２０６に設定されているパラメータは、表示部２０６が表示する色を定めるパラメータであり、例えば、色温度を定めるパラメータである。以下、表示部２０６に設定されるパラメータの単位を、色温度の単位Ｋ（ケルビン）で示す。
【００７１】
開始時パラメータ送信部２６５は、開始時パラメータ取得部２７９からパラメータが入力されることに応じて、そのパラメータをＭＦＰ１００に短距離無線通信部２１０を介して送信する。
【００７２】
変更指示受信部２６７は、短距離無線通信部２１０がＭＦＰ１００から変更指示を受信すると、その変更指示を取得し、取得された変更指示をパラメータ変更部２８１に出力する。パラメータ変更部２８１は、変更指示受信部２６７から変更指示が入力されることに応じて、変更指示に含まれるパラメータで、表示部２０６に設定されているパラメータを変更する。これにより、表示部２０６は、変更後のパラメータに従って画像を表示するので、表示される画像が変更指示に含まれるパラメータで定まる色温度で表示される。
【００７３】
図５は、第１の実施の形態におけるＭＦＰが備えるＣＰＵの機能の概要を示すブロック図である。図５に示す機能は、ＭＦＰ１００が備えるＣＰＵ１１１が、ＲＯＭ１１３、ＨＤＤ１１５、ＣＤ−ＲＯＭ１１８に記憶された遠隔制御プログラムを実行することにより、ＣＰＵ１１１に形成される機能である。図５を参照して、ＣＰＵ１１１は、ユーザーによる操作を受け付ける操作受付部５１と、操作画面を決定する操作画面決定部５３と、表示部１６１を制御するための装置側表示制御部５５と、短距離無線通信部１７０を制御する装置側通信制御部５７と、遠隔操作装置によって遠隔制御される遠隔制御部５９と、処理を実行する処理実行部６１と、を含む。
【００７４】
操作受付部５１は、ユーザーが操作部１６３に入力する操作を受け付ける。操作受付部５１が受け付ける操作は、操作画面を変更する画面遷移操作と処理の実行を指示する指示操作とを含む。ＨＤＤ１１５に複数の操作画面が予め記憶されており、複数の操作画面は互いに関連付けられている。複数の操作画面それぞれは、他の操作画面に遷移するための遷移ボタンを有している。操作受付部５１は、操作部１６３が遷移ボタンを指示する操作を受け付けると、画面遷移操作を受け付ける。操作受付部５１は、画面遷移操作を受け付ける場合、画面遷移操作を操作画面決定部５３に出力し、指示操作を受け付ける場合、指示操作を処理実行部６１に出力する。
【００７５】
操作画面決定部５３は、操作受付部５１から画面遷移操作が入力されることに応じて、画面遷移操作により特定される遷移ボタンに関連付けられた操作画面を決定し、決定された操作画面を識別するための画面識別情報を、装置側表示制御部５５に出力する。
【００７６】
装置側表示制御部５５は、表示部１６１を制御し、操作画面決定部５３から画面識別情報が入力されることに応じて、画面識別情報で特定される操作画面をＨＤＤ１１５から読み出し、表示部１６１に表示させるとともに、画面識別情報を遠隔制御部に出力する。
【００７７】
処理実行部６１は、操作受付部５１から指示操作が入力されることに応じて、指示操作で特定される処理を実行する。処理実行部６１が実行する処理は、画像形成部１４０を制御して画像を形成する画像形成処理、原稿読取部１３０を制御して原稿の画像を読み取る原稿読取処理、通信Ｉ／Ｆ部１１２を制御してデータを送受信するデータ送受信処理、ファクシミリ部１１６を制御してファクシミリデータを送受信するファクシミリ送受信処理、ＨＤＤ１１５または外部記憶装置１１７を制御して、データを書き込みまたはデータを読み出すデータ管理処理を含む。
【００７８】
装置側通信制御部５７は、短距離無線通信部１７０を制御する。装置側通信制御部５７は、短距離無線通信部１７０が携帯情報装置２００と通信可能となると、短距離無線通信部１７０に携帯情報装置２００と通信経路を確立させる。短距離無線通信部１７０が、例えば、携帯情報装置２００と通信可能となる場合は、短距離無線通信部１７０が通信可能な距離の範囲内に携帯情報装置２００が存在する場合である。換言すれば、携帯情報装置２００を操作するユーザーと、ＭＦＰ１００との間の距離が、所定の距離以内になると、短距離無線通信部１７０に携帯情報装置２００と通信経路を確立させる。
【００７９】
装置側通信制御部５７は、遠隔操作画面送信部６３と、遠隔操作受信部６５と、距離取得部６７と、携帯パラメータ受信部６９と、指示送信部７１と、を含む。遠隔制御部５９は、遠隔操作面決定部７３と、装置パラメータ読出部７５と、決定部７７と、パラメータ変更指示部７９と、を含む。遠隔操作画面決定部７３は、装置側表示制御部５５から操作画面の画面識別情報が入力され、画面識別情報で特定される操作画面に対応する遠隔操作画面を決定する。遠隔操作画面は、操作画面と同一の画面であってもよいし、操作画面に予め関連付けられた画面であってもよい。操作画面に予め関連付けられた画面は、例えば、操作画面に対応する操作を説明する情報を表示するヘルプ画面を含む。遠隔操作画面決定部７３は、決定した遠隔操作画面を遠隔操作画面送信部６３に出力する。
【００８０】
遠隔操作画面送信部６３は、遠隔操作画面決定部７３から遠隔操作画面が入力されることに応じて、遠隔操作画面を携帯情報装置２００に短距離無線通信部１７０を介して送信する。
【００８１】
遠隔操作受信部６５は、短距離無線通信部１７０が携帯情報装置２００から遠隔操作を受信すると、その遠隔操作を取得する。遠隔操作は、操作画面を変更する画面遷移操作と処理の実行を指示する指示操作とを含む。遠隔操作受信部６５は、遠隔操作が遠隔操作画面中の遷移ボタン中の位置を示す位置情報を含む場合、画面遷移操作を受け付ける。遠隔操作受信部６５は、画面遷移操作の遠隔操作を取得する場合、画面遷移操作を操作画面決定部５３に出力し、指示操作を受け付ける場合、指示操作を処理実行部６１に出力する。
【００８２】
距離取得部６７は、携帯情報装置２００との間の距離を取得する。距離取得部６７は、短距離無線通信部１７０が携帯情報装置２００から受信する電波の強度に基づいて、携帯情報装置２００との間の距離を算出する。距離取得部６７は、取得した距離を決定部７７に出力する。
【００８３】
装置パラメータ読出部７５は、表示部１６１に設定されているパラメータを読出し、読み出されたパラメータを決定部７７に出力する。表示部１６１に設定されているパラメータは、表示部１６１が表示する色を定めるパラメータであり、例えば、色温度を定めるパラメータである。以下、表示部１６１に設定されるパラメータの単位を、色温度の単位Ｋ（ケルビン）で示す。
【００８４】
携帯パラメータ受信部６９は、短距離無線通信部１７０が携帯情報装置２００から受信するパラメータを取得する。携帯情報装置２００から受信するパラメータは、携帯情報装置２００の表示部２０６に、遠隔制御の開始時に設定されているパラメータである。携帯パラメータ受信部６９は、携帯情報装置２００から受信されたパラメータを決定部７７に出力する。
【００８５】
決定部７７は、距離取得部６７から携帯情報装置２００との間の距離が入力され、装置パラメータ読出部７５から表示部１６１に設定されているパラメータが入力され、携帯パラメータ受信部６９から携帯情報装置２００の表示部２０６に遠隔操作の開始時に設定されているパラメータが入力される。以下、説明のために、表示部１６１に設定されているパラメータを装置パラメータといい、携帯情報装置２００の表示部２０６に遠隔操作の開始時に設定されているパラメータを携帯パラメータという。また、距離取得部６７によって、遠隔操作の開始時において取得された携帯情報装置２００との間の距離を、開始時距離ＬＳという。さらに、携帯情報装置２００が表示モードを連携モードに設定する距離を連携距離ＬＣという。
【００８６】
決定部７７は、携帯情報装置２００との間の距離に応じた更新パラメータを決定し、決定した更新パラメータをパラメータ変更指示部７９に出力する。開始時距離ＬＳにおいては携帯情報装置２００の表示部２０６は携帯パラメータに設定されている。
【００８７】
決定部７７は、距離取得部６７から入力される携帯情報装置２００との間の距離に基づいて近接期間と、離反期間と、連携期間と、のいずれかを判断する。決定部７７は、接近期間決定部８１と、連携期間決定部８３と、離反期間決定部８５と、連携中禁止部８７と、を含む。決定部７７は、遠隔操作の開始時から遠隔操作の終了時までの期間のうち遠隔操作の開始時から携帯情報装置２００との間の距離が連携距離ＬＣ（第１の距離）になるまでの期間を接近期間に決定する。決定部７７は、遠隔操作の開始時から遠隔操作の終了時までの期間のうち、携帯情報装置２００との間の距離が連携距離ＬＣになってから連携距離ＬＣより長くなる期間であって、遠隔操作が終了するまでの期間を離反期間に決定する。
【００８８】
連携期間決定部８３は、携帯情報装置２００との間の距離が連携距離ＬＣ以下の連携期間の間は、更新用パラメータを装置パラメータと同じ値に決定する。携帯パラメータをＰＭ、装置パラメータをＰＤとし、携帯情報装置２００との間の距離を距離ＬＸとすれば、連携期間における距離ＬＸに対する更新パラメータＰＵ（ＬＸ）は、次式（１）で表される。
ＰＵ（ＬＸ）＝ＰＤ  （ＬＸ＜ＬＣ）  （１）
接近期間決定部８１は、携帯情報装置２００がＭＦＰ１００に近づく接近期間における更新用パラメータを決定する。接近期間決定部８１は、更新パラメータが装置パラメータと同じ値になるまで、携帯情報装置２００との間の距離が短いほど、更新用パラメータの値を装置パラメータに近い値に決定する。近接期間における距離ＬＸに対する更新パラメータＰＵ（ＬＸ）は、次式（２）で表される。
ＰＵ（ＬＸ）＝（ＰＭ−ＰＤ）／（ＬＳ−ＬＣ）×（ＬＸ−ＬＣ）＋ＰＤ  （ＬＸ≧ＬＣ）  （２）
離反期間決定部８５は、携帯情報装置２００がＭＦＰ１００から遠ざかる離反期間における更新パラメータを決定する。離反期間決定部８５は、更新用パラメータが携帯パラメータと同じ値になるまで、携帯情報装置２００との間の距離が長いほど、更新用パラメータを遠隔操作が開始された時点に携帯パラメータに近い値に決定する。連携中禁止部８７は、離反期間であって、携帯情報装置２００との間の距離が連携距離ＬＣより長い禁止距離ＬＩ（第２の距離）以上になるまで、離反期間決定部８５により更新用パラメータの決定を禁止する。離反期間における距離ＬＸに対する更新パラメータＰＵ（ＬＸ）は、次式（３）で表される。
ＰＵ（ＬＸ）＝（ＰＭ−ＰＤ）／（ＬＳ−ＬＩ）×（ＬＸ−ＬＩ）＋ＰＤ  （ＬＸ≧ＬＣ）  （３）
パラメータ変更指示部７９は、決定部７７から更新パラメータが入力されることに応じて、更新パラメータを含む送信指示を指示送信部７１に出力する。指示送信部７１は、パラメータ変更指示部７９から送信指示が入力されることに応じて、送信指示に含まれる更新パラメータを含む変更指示を携帯情報装置２００に短距離無線通信部１７０を介して送信する。
【００８９】
装置側表示制御部５５は、距離取得部６７から携帯情報装置２００との間の距離が入力される場合がある。装置側表示制御部５５は、距離取得部６７から携帯情報装置２００との間の距離が、連携距離ＬＣ以下ならば、携帯情報装置２００が連携モードと判断する。装置側表示制御部５５は、携帯情報装置２００が連携モードと判断する場合であって、遠隔操作画面が操作画面と同じ場合、操作画面の一部を表示部１６１に表示するとともに、操作画面の画面識別情報と、表示部１６１に表示した部分の操作画面中の位置を示す位置情報とを、遠隔操作画面決定部７３に出力する。なお、携帯情報装置２００から連携モードであることの通知を受けるようにしてもよい。この場合には、携帯情報装置２００との間の距離から判断する必要はないので、距離取得部６７から携帯情報装置２００との間の距離が入力される必要はない。
【００９０】
遠隔操作画面決定部７３は、装置側表示制御部５５から操作画面の画面識別情報と位置情報とが入力される場合、画面識別情報で特定される操作画面と同一の画面を遠隔操作画面に決定する。遠隔操作画面決定部７３は、決定した遠隔操作画面と、位置情報とを遠隔操作画面送信部６３に出力する。遠隔操作画面送信部６３は、遠隔操作画面決定部７３から遠隔操作画面と位置情報とが入力される場合、遠隔操作画面と位置情報とを携帯情報装置２００に短距離無線通信部１７０を介して送信する。
【００９１】
図６は、携帯情報装置とＭＦＰとの間の距離と更新用パラメータとの関係の一例を示す図である。図６を参照して、携帯情報装置２００とＭＦＰ１００との間の距離を横軸に示し、表示部２０６に設定される更新用パラメータを縦軸に示している。ユーザーがＭＦＰ１００に近づく期間の更新用パラメータを実線で示し、ユーザーがＭＦＰ１００から遠ざかる期間の更新用パラメータを点線で示す。
【００９２】
ユーザーがＭＦＰ１００に近づく近接期間においては、携帯情報装置２００とＭＦＰ１００との間の距離ＬＸが、開始時距離ＬＳから連携距離ＬＣに変化する。近接期間では、更新パラメータは上記式（２）で示され、表示部２０６に設定される更新パラメータは装置パラメータＰＤ以上で携帯パラメータＰＭ以下の範囲で、携帯情報装置２００とＭＦＰ１００との間の距離ＬＸに比例する値である。このため、ユーザーがＭＦＰ１００に近づくにつれて携帯情報装置２００に表示される遠隔操作画面の色がＭＦＰ１００の表示部１６１に表示されている操作画面の色に近づく。遠隔操作画面の色が急激に変化しないので、ユーザーは色の変化に気が付きにくくすることができる。
【００９３】
携帯情報装置２００とＭＦＰ１００との間の距離ＬＸが連携距離ＬＣ以下においては、上記式（１）で示され、表示部２０６に設定される更新パラメータは、携帯情報装置２００とＭＦＰ１００との間の距離ＬＸに関係なく、装置パラメータＰＤと同じ値である。
【００９４】
このため、ユーザーが携帯情報装置２００がＭＦＰ１００と連携する連携モードの場合には、携帯情報装置２００に表示される遠隔操作画面の色がＭＦＰ１００の表示部１６１に表示されている操作画面の色と同じになる。二つの画面それぞれ表示される同じ色をユーザーに同じ色として認識させることができる。特に、操作画面が、プリントした画像を表示するプレビュー画面の場合に、実際にプリントされる画像の色に近似する色を、ＭＦＰ１００および携帯情報装置２００それぞれに表示するので、ユーザーは、プリントされる色の確認が容易になる。また、操作画面の一部と遠隔操作画面の一部とを色で対応付ける場合、ユーザーは、操作画面と遠隔操作画面との間で対応する部分を同じ色で確認することができる。
【００９５】
ユーザーがＭＦＰ１００から遠ざかる離反期間においては、携帯情報装置２００とＭＦＰ１００との間の距離ＬＸが、連携距離ＬＣから開始時距離ＬＳに変化する。離反期間では、携帯情報装置２００とＭＦＰ１００との間の距離ＬＸが、禁止距離ＬＩになるまで更新パラメータが決定されることなく、装置パラメータＰＤと同じ値が維持される。携帯情報装置２００とＭＦＰ１００との間の距離ＬＸが、禁止距離ＬＩ以上では、更新パラメータは上記式（３）で示され、表示部２０６に設定される更新パラメータは装置パラメータＰＤ以上で携帯パラメータＰＭ以下の範囲で、携帯情報装置２００とＭＦＰ１００との間の距離ＬＸに比例する値である。
【００９６】
このため、ユーザーがＭＦＰ１００から遠ざかるにつれて携帯情報装置２００に表示される遠隔操作画面の色がＭＦＰ１００の表示部１６１に表示されている操作画面の色と同じ色から遠隔操作前の色に変化する。遠隔操作画面の色が急激に変化しないので、ユーザーは色の変化に気が付きにくくすることができる。また、離反期間においては、禁止距離ＬＩまで離れるまで遠隔操作画面の色が変化しないので、ＭＦＰ１００から離れて再度ＭＦＰ１００に近づく場合に対応することができる。
【００９７】
図７は、第１の実施の形態における遠隔制御処理の流れの一例を示すフローチャートである。遠隔制御処理は、ＭＦＰ１００が備えるＣＰＵ１１１が、ＲＯＭ１１３、ＨＤＤ１１６、ＣＤ−ＲＯＭ１１９Ａに記憶された遠隔制御プログラムを実行することにより、ＣＰＵ１１１により実行される処理である。
【００９８】
図７を参照して、ＣＰＵ１１１は、接続要求を受信したか否かを判断する（ステップＳ０１）。短距離無線通信部１７０が携帯情報装置２００を検出し、携帯情報装置２００から接続要求を受信したか否かを判断する。接続要求を受信するまで待機状態となり（ステップＳ０１でＮＯ）、接続要求を受信したならば（ステップＳ０１でＹＥＳ）、処理をステップＳ０２に進める。
【００９９】
ステップＳ０２においては、携帯情報装置２００との間で通信経路を確立する。そして、開始時距離ＬＳを取得する（ステップＳ０３）。短距離無線通信部１７０が携帯情報装置２００から受信する電波の強度に対応する距離を算出し、開始時距離ＬＳに設定する。次のステップＳ０４においては、携帯パラメータを取得する。携帯情報装置２００は、ＭＦＰ１００と通信経路を確立すると、その時点で表示部２０６に設定されているパラメータを送信するので、短距離無線通信部１７０が携帯情報装置２００から受信するパラメータを、携帯パラメータとして取得する。携帯パラメータは、遠隔操作を開始した時点で携帯情報装置２００の表示部２０６に設定されているパラメータの値である。次のステップＳ０５においては、装置パラメータを取得する。表示部１６１に設定されているパラメータを装置パラメータとして取得する。
【０１００】
そして、遠隔操作画面を決定する（ステップＳ０６）。ステップＳ０６が実行される段階で、表示部１６１に表示されている操作画面に対応する遠隔操作画面を決定する。次のステップＳ０７においては、ステップＳ０６において決定された遠隔操作画面を、携帯情報装置２００に短距離無線通信部１７０を介して送信する。
【０１０１】
次のステップＳ０８においては、パラメータ決定処理を実行する。パラメータ決定処理の詳細は後述するが、携帯情報装置２００の表示部２０６に設定されるパラメータを更新するための更新パラメータを決定する処理である。そして、パラメータ決定処理によって、更新パラメータが変更されたか否かを判断する（ステップＳ０９）。更新パラメータが変更されたならば処理をステップＳ１０に進めるが、そうでなければ処理をステップＳ１１に進める。
【０１０２】
ステップＳ１０においては、更新指示を携帯情報装置２００に短距離無線通信部１７０を介して送信し、処理をステップＳ１１に進める。更新指示は、ステップＳ０８において決定された更新パラメータを含み、携帯情報装置２００の表示部２０６に設定されるパラメータの更新を指示するコマンドを含む。
【０１０３】
ステップＳ１１においては、遠隔操作を受信したか否かを判断する。短距離無線通信部１７０が携帯情報装置２００から遠隔操作を受信したならば処理をステップＳ１２に進めるが、そうでなければ処理をステップＳ１７に進める。ステップＳ１２においては、遠隔操作の種類によって処理を分岐させる。遠隔操作が遠隔制御の終了を指示する終了指示操作ならば処理をステップＳ１３に進め、処理の実行を指示する実行指示操作ならば処理をステップＳ１４に進め、遠隔操作画面の切換を指示する画面遷移操作ならば処理をステップＳ１８に進める。ステップＳ１３においては、ステップＳ０２において確立した通信経路を切断し、処理を終了する。
【０１０４】
ステップＳ１４においては、実行指示操作で特定される処理を実行し、処理をステップＳ１５に進める。そして、遠隔操作画面を決定し（ステップＳ１５）、処理をステップＳ１６に進める。実行指示操作で特定される処理を実行した後に表示部１６１に表示する操作画面が決定されるので、その操作画面に対応する遠隔操作画面を決定する。
【０１０５】
一方、ステップＳ１８においては、画面遷移操作に基づいて遠隔操作画面を決定し、処理をステップＳ１６に進める。画面遷移操作により特定される操作画面を決定し、その操作画面に対応する遠隔操作画面を決定する。なお、決定された操作画面は、表示部１６１に表示される。
【０１０６】
ステップＳ１６においては、ステップＳ１５またはステップＳ１８において決定された遠隔操作画面を、携帯情報装置２００に短距離無線通信部１７０を介して送信し、処理をステップＳ１７に進める。ステップＳ１７においては、ステップＳ０２において確立した通信経路が、切断されたか否かを判断する。携帯情報装置２００によって切断される場合と、ノイズ等によって短距離無線通信部１７０が携帯情報装置２００と通信不可能になる場合と、を含む。通信経路が切断されたならば処理を終了するが、そうでなければ処理をステップＳ０８に戻す。
【０１０７】
図８は、第１の実施の形態におけるパラメータ決定処理の流れの一例を示すフローチャートである。第１の実施の形態におけるパラメータ決定処理は、図７のステップＳ０８において実行される処理である。図８を参照して、ＣＰＵ１１１は、携帯情報装置２００との間の距離を取得する（ステップＳ２１）。ステップＳ２１が実行される段階において短距離無線通信部１７０が携帯情報装置２００から受信する電波に基づいて、その電波の強度に対応する距離を算出する。次のステップＳ２２においては、取得された距離を現在距離ＬＸに設定する。
【０１０８】
次のステップＳ２３においては、携帯情報装置２００が接近中か否かを判断する。ステップＳ２１において取得された距離を、過去に取得した距離と比較し、距離が短くなっていれば接近中と判断する。接近中ならば処理をステップＳ２４に進めるが、そうでなければ処理をステップＳ２７に進める。
【０１０９】
ステップＳ２４においては、現在距離ＬＸが連携距離ＬＣより大きいか否かを判断する。現在距離ＬＸが連携距離ＬＣより大きいならば処理をステップＳ２６に進めるが、そうでなければ処理をステップＳ２６に進める。
【０１１０】
ステップＳ２６においては、更新パラメータに装置パラメータＰＤを設定し、処理を遠隔制御処理に戻す。このため、ＭＦＰ１００の表示部１６１に表示される画像の色温度と、表示部２０６に表示される画像の色温度とが同じになるので、ユーザーは、色温度が同じ２つの画像を見る場合に違和感なく見ることができる。携帯情報装置２００とＭＦＰ１００との間の距離が、連携距離ＬＣ以下の連携期間の場合は、携帯情報装置２００は、連携モードで動作する。特に、携帯情報装置２００が連携モードの場合に、ＭＦＰ１００の表示部１６１に操作画面の一部が表示され、携帯情報装置２００の表示部２０６に、操作画面と同じ遠隔操作画面の一部が表示される場合がある。連携期間において、ＭＦＰ１００の表示部１６１に操作画面の一部が表示され、この場合、ＭＦＰ１００の表示部１６１に表示される操作画面の一部の色温度と、携帯情報装置２００の表示部２０６に表示される遠隔操作画面の一部の色温度とを同じにするので、ユーザーは、違和感なく２つの画像を視認することができる。
【０１１１】
ステップＳ２５においては、上記式（２）に従って、ステップＳ２２において設定された現在距離ＬＸを用いて更新パラメータを算出し、処理を遠隔制御処理に戻す。
【０１１２】
ステップＳ２７においては、携帯情報装置２００が離反中か否かを判断する。ステップＳ２１において取得された距離を、過去に取得した距離と比較し、距離が長くなっていれば離反中と判断する。離反中ならば処理をステップＳ２８に進めるが、そうでなければ処理を遠隔制御処理に戻す。
【０１１３】
ステップＳ２８においては、現在距離ＬＸが禁止距離ＬＩより大きいか否かを判断する。現在距離ＬＸが禁止距離ＬＩより大きいならば処理をステップＳ２９に進めるが、そうでなければ処理を遠隔制御処理に戻す。禁止距離ＬＩは、連携距離ＬＣより長いので、ユーザーが携帯情報装置２００を連携モードで使用しながらＭＦＰ１００から連携距離ＬＣより長い距離だけ離れる場合であっても禁止距離ＬＩ以内であれば、更新パラメータを決定することなく、装置パラメータを維持する。このため、ユーザーが携帯情報装置２００を連携モードで使用しながらＭＦＰ１００から連携距離ＬＣより長い距離だけ離れ、再度ＭＦＰ１００に近づく場合等、表示部２０６に表示される画像の色温度は変化しないので、ユーザーに画像の色温度が変化することによる違和感を与えることがない。
【０１１４】
ステップＳ２９においては、上記式（３）に従って、ステップＳ２２において設定された現在距離ＬＸを用いて更新パラメータを算出し、処理を遠隔制御処理に戻す。現在距離ＬＸが連携距離ＬＣより大きくかつ開始時距離ＬＳより小さい場合、携帯情報装置２００の表示部２０６に表示される画像の色温度を、携帯情報装置２００とＭＦＰ１００との間の距離に比例して徐々に変化するので、ユーザーが画像の色温度の変化に気が付かないようにすることができる。
【０１１５】
携帯情報装置２００とＭＦＰ１００との間の距離が、開始時距離ＬＳ以上の場合は、携帯情報装置２００のユーザーは、ＭＦＰ１００を遠隔操作する通常モードで動作する場合がある。この場合、携帯情報装置２００のユーザーは、ＭＦＰ１００の表示部１６１を視認することはない。このため、表示部２０６を、携帯情報装置２００でＭＦＰ１００を遠隔制御する前の状態に戻すことができる。
【０１１６】
図９は、第１の実施の形態における遠隔操作処理の流れの一例を示すフローチャートである。遠隔操作処理は、携帯情報装置２００が備えるＣＰＵ２０１が、フラッシュメモリー２０３に記憶された遠隔操作プログラムを実行することにより、ＣＰＵ２０１により実行される処理である。図９を参照して、ＣＰＵ２０１は、接続要求を送信する（ステップＳ５１）。ユーザーが操作部２０７に接続先の装置を特定する接続指示を受け付ける。ここでは、ＭＦＰ１００が接続先の装置として特定される場合を例に説明する。短距離無線通信部２１０を介して接続先に特定されたＭＦＰ１００に接続要求を送信する。
【０１１７】
ステップＳ５２においては、短距離無線通信部２１０がＭＦＰ１００と通信経路を確立したか否かを判断する。短距離無線通信部２１０は、通信可能な範囲にＭＦＰ１００が存在する場合、ＭＦＰ１００とネゴシエーションすることによって通信経路を確立する。通信経路を確立したならば処理をステップＳ５３に進めるが、そうでなければ処理を終了する。通信経路を確立できない場合、接続できなかったことをユーザーにメッセージを表示する等して通知するのが好ましい。
【０１１８】
ＭＦＰ１００は、携帯情報装置２００と通信経路を確立すると、遠隔操作画面を携帯情報装置２００に送信する。ステップＳ５３においては、短距離無線通信部２１０がＭＦＰ１００から遠隔操作画面を受信したか否かを判断する。遠隔操作画面を受信したならば処理をステップＳ５４に進めるが、そうでなければ処理をステップＳ５７に進める。
【０１１９】
ステップＳ５４においては、遠隔操作画面を表示部２０６に表示する。この場合、表示モードが通常モードの場合には遠隔操作画面の全体を表示部２０６に表示し、表示モードが連携モードの場合には遠隔操作画面の一部または全部を表示部２０６に表示する。カメラ２０２が被写体を撮像して得られる画像にＭＦＰ１００の表示部１６１またはその周辺部分を含む場合には、表示モードを連携モードに設定し、カメラ２０２が被写体を撮像して得られる画像にＭＦＰ１００の表示部１６１またはその周辺部分を含まない場合には、表示モードを通常モードに設定する。
【０１２０】
ステップＳ５５においては、遠隔操作を受け付けたか否かを判断する。ユーザーが表示部２０６に表示された遠隔操作画面中の任意の位置を指示すれば、タッチパネル２０７Ａによって指示された位置を遠隔操作として検出する。遠隔操作を受け付けたならば処理をステップＳ５６に進めるが、そうでなければ処理をステップＳ５７に進める。ステップＳ５６においては、遠隔操作をＭＦＰ１００にステップＳ５２において確立された通信経路を介して送信し、処理をステップＳ５７に進める。遠隔操作は、ステップＳ５５において検出された位置に基づいて定まる遠隔操作画面中の位置を示す位置情報を含む。
【０１２１】
ステップＳ５７においては、変更指示をＭＦＰ１００から受信したか否かを判断する。短距離無線通信部２１０がステップＳ５２において確立された通信経路を介してＭＦＰ１００から変更指示を受信したか否かを判断する。変更指示を受信したならば処理をステップＳ５８に進めるが、そうでなければ処理をステップＳ５９に進める。
【０１２２】
ステップＳ５８においては、変更指示に含まれる更新パラメータで、表示部２０６に設定されているパラメータを更新し、処理をステップＳ５９に進める。これにより、表示部２０６に表示される画像の色温度が変更される。
【０１２３】
ステップＳ５９においては、終了指示を受け付けたか否かを判断する。終了指示を受け付けたならば処理をステップＳ６０に進めるが、そうでなければ処理をステップＳ６１に進める。ステップＳ６０においては、ステップＳ５２において確立された通信経路を切断し、処理を終了する。ステップＳ６１においては、ステップＳ５２において確立された通信経路が切断されたか否かを判断する。ＭＦＰ１００によって切断される場合と、ノイズ等によって短距離無線通信部２１０がＭＦＰ１００と通信不可能になる場合と、を含む。通信経路が切断されたならば処理を終了するが、そうでなければ処理をステップＳ５３に戻す。
【０１２４】
以上説明したように、第１の実施の形態におけるＭＦＰ１００は、操作画面を表示部１６１に表示し、操作画面に関連する遠隔操作画面を携帯情報装置２００に送信し、表示部２０６に表示させ、携帯情報装置２００との間の距離ＬＸと、遠隔操作が開始された時点に表示部２０６に設定されたパラメータである携帯パラメータと、表示部１６１に設定されているパラメータである装置パラメータとに基づいて、更新パラメータを決定し、更新パラメータで表示部１６１に設定されるパラメータを更新させる。このため、表示部２０６に表示される遠隔操作画面の色を変更することができる。その結果、携帯情報装置２００およびＭＦＰ１００それぞれに表示される画像の色を同じにすることができる。また、また、ＭＦＰ１００との間の距離が短くなるにつれて徐々に色を変更するので、急速に色が変化することによる違和感をユーザーに与えることがない。
【０１２５】
＜第２の実施の形態＞
第１の実施の形態における連携システム１においては、ＭＦＰ１００で更新パラメータを決定した。第２の実施の形態における連携システム１Ａにおいては、携帯情報装置２００が更新パラメータを決定するようにしたものである。以下、第１の実施の形態における連携システム１Ａについて、第１の実施の形態における連携システム１と異なる点を主に説明する。
【０１２６】
第２の実施の形態における連携システム１Ａの全体構成は、図１に示した第１の実施の形態における連携システム１の全体構成と同じである。また、第２の実施の形態における携帯情報装置２００のハードウェア構成は、図２に示したハードウェア構成と同じである。さらに、第２の実施の形態におけるＭＦＰ１００，１０１，１０２それぞれのハードウェア構成は、図３に示したハードウェア構成と同じである。したがって、これらについてここでは説明を繰り返さない。
【０１２７】
図１０は、第２の実施の形態における携帯情報装置が備えるＣＰＵの機能の概要の一例を示すブロック図である。図１０を参照して、図４に示した第１の実施の形態における機能と異なる点は、通信制御部２５１および遠隔操作部２５５がそれぞれ通信制御部２５１Ａおよび遠隔操作部２５５Ａに変更された点である。通信制御部２５１Ａは、通信制御部２５１が備える開始時パラメータ送信部２６５および変更指示受信部２６７を含まず、距離取得部２９１およびお装置パラメータ受信部２９３を含む。また、遠隔操作部２５５Ａは、遠隔操作部２５５が備える開始時パラメータ取得部２７８を含まず、開始時パラメータ読出部２９５および決定部２９７を含む。その他の機能は、図４に示した機能と同じなのでここでは説明を繰り返さない。また、ここでは、携帯情報装置２００の短距離無線通信部２１０がＭＦＰ１００と通信可能となる場合を例に説明する。
【０１２８】
距離取得部２９１は、ＭＦＰ１００との間の距離を取得する。距離取得部２９１は、短距離無線通信部２１０がＭＦＰ１００から受信する電波の強度に基づいて、ＭＦＰ１００との間の距離を算出する。距離取得部２９１は、取得した距離を決定部７７に出力する。距離取得部２９１は、所定の時間間隔でＭＦＰ１００との間の距離を取得する。携帯情報装置２００は移動可能なので、携帯情報装置２００とＭＦＰ１００との間の距離は時間の経過に伴って変動する場合があるからである。
【０１２９】
装置パラメータ受信部２９３は、短距離無線通信部２１０がＭＦＰ１００から受信するパラメータを取得する。ＭＦＰ１００から受信するパラメータは、ＭＦＰ１００の表示部１６１に設定されているパラメータである。装置パラメータ受信部２９３は、ＭＦＰ１００から受信されたパラメータを決定部２９７に出力する。
【０１３０】
開始時パラメータ読出部２９５は、表示部２０６に設定されているパラメータを、遠隔制御の開始時に読出し、読み出されたパラメータを決定部２９７に出力する。表示部２０６に設定されているパラメータは、表示部２０６が表示する色を定めるパラメータであり、例えば、色温度を定めるパラメータである。以下、表示部２０６に設定されるパラメータの単位を、色温度の単位Ｋ（ケルビン）で示す。遠隔制御の開始時は、通信制御部２５１ＡがＭＦＰ１００と通信経路を確立し、通信可能な状態になった時である。
【０１３１】
決定部２９７は、距離取得部２９１からＭＦＰ１００との間の距離が入力され、装置パラメータ受信部２９３からＭＦＰ１００の表示部１６１に設定されているパラメータが入力され、開始時パラメータ読出部２９５から携帯情報装置２００の表示部２０６に遠隔操作の開始時に設定されているパラメータが入力される。以下、説明のために、ＭＦＰ１００の表示部１６１に設定されているパラメータを装置パラメータといい、携帯情報装置２００の表示部２０６に遠隔操作の開始時に設定されているパラメータを携帯パラメータという。また、距離取得部２９１によって、遠隔操作の開始時において取得されたＭＦＰ１００との間の距離を、開始時距離ＬＳという。さらに、携帯情報装置２００が表示モードを連携モードに設定する距離を連携距離ＬＣという。
【０１３２】
決定部２９７は、ＭＦＰ１００との間の距離に応じた更新パラメータを決定し、決定した更新パラメータをパラメータ変更部２８１に出力する。開始時距離ＬＳにおいては携帯情報装置２００の表示部２０６は携帯パラメータに設定されている。決定部２９７は、距離取得部２９１から入力されるＭＦＰ１００との間の距離に基づいて近接期間と、離反期間と、連携期間と、のいずれかを判断する。決定部２９７は、接近期間決定部３０１と、連携期間決定部３０３と、離反期間決定部３０５と、連携中禁止部３０７と、を含む。決定部２９７は、遠隔操作の開始時から遠隔操作の終了時までの期間のうち遠隔操作の開始時からＭＦＰ１００との間の距離が連携距離ＬＣ（第１の距離）になるまでの期間を接近期間に決定する。決定部２９７は、遠隔操作の開始時から遠隔操作の終了時までの期間のうち、携帯情報装置２００との間の距離が連携距離ＬＣになってから連携距離ＬＣより長くなる期間であって、遠隔操作が終了するまでの期間を離反期間に決定する。
【０１３３】
連携期間決定部３０３は、ＭＦＰ１００との間の距離が連携距離ＬＣ以下の連携期間の間は、更新用パラメータを装置パラメータと同じ値に決定する。携帯パラメータをＰＭ、装置パラメータをＰＤとし、ＭＦＰ１００との間の距離を距離ＬＸとすれば、連携期間における距離ＬＸに対する更新パラメータＰＵ（ＬＸ）は、上記式（１）で表される。
【０１３４】
接近期間決定部３０１は、携帯情報装置２００がＭＦＰ１００に近づく接近期間における更新用パラメータを決定する。接近期間決定部３０１は、更新パラメータが装置パラメータと同じ値になるまで、ＭＦＰ１００との間の距離が短いほど、更新用パラメータの値を装置パラメータに近い値に決定する。近接期間における距離ＬＸに対する更新パラメータＰＵ（ＬＸ）は、上記式（２）で表される。
【０１３５】
離反期間決定部３０５は、携帯情報装置２００がＭＦＰ１００から遠ざかる離反期間における更新パラメータを決定する。離反期間決定部３０５は、更新用パラメータが携帯パラメータと同じ値になるまで、ＭＦＰ１００との間の距離が長いほど、更新用パラメータを遠隔操作が開始された時点に携帯パラメータに近い値に決定する。連携中禁止部３０７は、離反期間であって、ＭＦＰ１００との間の距離が連携距離ＬＣより長い禁止距離ＬＩ（第２の距離）以上になるまで、離反期間決定部３０５により更新用パラメータの決定を禁止する。離反期間における距離ＬＸに対する更新パラメータＰＵ（ＬＸ）は、上記式（３）で表される。
【０１３６】
パラメータ変更部２８１は、決定部２９７から更新パラメータが入力されることに応じて、更新パラメータで、表示部２０６に設定されているパラメータを更新する。
【０１３７】
図１１は、第２の実施の形態におけるＭＦＰが備えるＣＰＵの機能の概要を示すブロック図である。図１１を参照して、図５に示した機能と異なる点は、装置側通信制御部５７および遠隔制御部５９が、それぞれ装置側通信制御部５７Ａおよび遠隔制御部５９Ａに変更された点である。装置側通信制御部５７Ａは、装置側通信制御部５７に含まれる距離取得部６７、携帯パラメータ受信部６９および指示送信部７１を含まず、装置パラメータ送信部９１を含む。遠隔制御部５９Ａは、遠隔制御部５９に含まれる決定部７７およびパラメータ変更指示部７９を含まない。
【０１３８】
装置パラメータ送信部９１は、装置パラメータ読出部７５により読み出された、表示部１６１に設定されているパラメータを装置パラメータとして、携帯情報装置２００に短距離無線通信部１７０を介して送信する。装置パラメータ送信部９１は、装置側通信制御部５７Ａが、携帯情報装置２００との間通信経路を確立した時点、換言すれば、遠隔制御の開始時に装置パラメータを携帯情報装置２００に送信する。
【０１３９】
なお、装置側表示制御部５５は、携帯情報装置２００から表示モードを取得するようにし、携帯情報装置２００の表示モードが連携モードの場合であって、遠隔操作画面が操作画面と同じ場合、操作画面の一部を表示部１６１に表示するとともに、操作画面の画面識別情報と、表示部１６１に表示した部分の操作画面中の位置を示す位置情報とを、遠隔操作画面決定部７３に出力する。
【０１４０】
図１２は、第２の実施の形態における遠隔制御処理の流れの一例を示すフローチャートである。図１２を参照して、図７に示した第１の実施の形態における遠隔制御処理と異なる点は、ステップＳ０３、ステップＳ０４、ステップＳ０８〜ステップＳ１０が削除された点、ステップＳ０５とステップＳ０６との間にステップＳ０５Ａが追加された点である。その他の処理は、図７に示した遠隔制御処理と同じなので、ここでは説明を繰り返さない。ステップＳ０５において、装置パラメータを取得すると、次のステップＳ０５Ａにおいて、装置パラメータを、携帯情報装置２００に短距離無線通信部１７０を介して送信し、処理をステップＳ０６に進める。
【０１４１】
図１３は、第２の実施の形態における遠隔操作処理の流れの一例を示すフローチャートである。図１３を参照して、図９に示した第１の実施の形態における遠隔操作処理と異なる点は、ステップＳ５２とステップＳ５３との間にステップＳ７１〜ステップＳ７３が追加された点、ステップＳ５７に代えてステップＳ７４およびステップＳ７５が追加された点である。その他の処理は図１３に示した処理と同じなのでここでは説明を繰り返さない。
【０１４２】
ステップＳ７１以降の処理について、ステップＳ５２においてＭＦＰ１００と通信経路を確立した場合を例に説明する。ステップＳ７１においては、開始時距離ＬＳを取得する。短距離無線通信部２１０がＭＦＰ１００から受信する電波の強度に対応する距離を算出し、開始時距離ＬＳに設定する。
【０１４３】
次のステップＳ７２においては、携帯パラメータＰＭを取得する。表示部２０６に設定されているパラメータを読出し、携帯パラメータＰＭに設定する。そして、装置パラメータＰＤを取得し、処理をステップＳ５３に進める。ＭＦＰ１００は、携帯情報装置２００と通信経路を確立すると、表示部１６１に設定されているパラメータを送信するので、短距離無線通信部２１０がＭＦＰ１００から受信するパラメータを、装置パラメータＰＤとして取得する。
【０１４４】
ステップＳ５３においては、短距離無線通信部２１０がＭＦＰ１００から遠隔操作画面を受信したか否かを判断する。遠隔操作画面を受信したならば処理をステップＳ５４に進めるが、そうでなければ処理をステップＳ７６に進める。
【０１４５】
ステップＳ５４においては、遠隔操作画面を表示部２０６に表示する。そして、ステップＳ５５において、遠隔操作を受け付けたか否かを判断する。遠隔操作を受け付けたならば処理をステップＳ５６に進めるが、そうでなければ処理をステップＳ７６に進める。ステップＳ５６においては、遠隔操作をＭＦＰ１００にステップＳ５２において確立された通信経路を介して送信し、処理をステップＳ７４に進める。
【０１４６】
ステップＳ７４においては、パラメータ決定処理を実行する。パラメータ決定処理は、図８に示した処理と同じであり、携帯情報装置２００の表示部２０６に設定されるパラメータを更新するための更新パラメータを決定する処理である。そして、更新パラメータが変更されたか否かを判断する（ステップＳ７４）。更新パラメータが変更されたならば処理をステップＳ７５に進めるが、そうでなければ処理をステップＳ５９に進める。
【０１４７】
ステップＳ５８においては、ステップＳ７４において決定された更新パラメータで、表示部２０６に設定されているパラメータを更新し、処理をステップＳ５９に進める。これにより、表示部２０６に表示される画像の色温度が変更される。
【０１４８】
以上説明したように、第２の実施の形態における携帯情報装置２００は、ＭＦＰ１００の表示部１６１に表示されている操作画面に関連する遠隔操作画面を表示部２０６に表示する。そして、ＭＦＰ１００との間の距離ＬＸと、遠隔操作が開始された時点に表示部２０６に設定されたパラメータである携帯パラメータと、表示部１６１に設定されているパラメータである装置パラメータとに基づいて、更新パラメータを決定し、表示部１６１に設定されているパラメータを更新パラメータで更新する。このため、表示部２０６に表示される遠隔操作画面の色を、ＭＦＰ１００の表示部１６１に表示されている操作画面の色と同じにすることができる。また、ＭＦＰ１００との間の距離が短くなるにつれて徐々に色を変更するので、急速に色が変化することによる違和感をユーザーに与えることがない。
【０１４９】
なお、上述した第１の実施の形態においては、ＭＦＰ１００が携帯情報装置２００との間の距離を短距離無線通信部１７０が携帯情報装置２００から受信する電波の強度に基づいて算出するようにし、第２の実施の形態においては、携帯情報装置２００がＭＦＰ１００との間の距離を、短距離無線通信部２１０がＭＦＰ１００から受信する電波の強度に基づいて算出するようにした。これに代えて、携帯情報装置２００が、ＧＰＳセンサー２１１によって検出される位置情報と、予め登録されたＭＦＰ１００の位置とに基づいて、算出するようにし、携帯情報装置２００によって算出された距離を、ＭＦＰ１００に通知するようにしてもよい。
【０１５０】
また、第１および第２の実施の形態においては、ＭＦＰ１００と携帯情報装置２００とが連携して操作画面および遠隔操作画面を表示するようにしたが、この連携モードを有しないようにしてもよい。この場合には、上記式（２）、式（３）において、連携距離ＬＣを「０」として更新パラメータを算出することができる。
【０１５１】
また、上述した実施の形態においては、連携システム１について説明したが、図８に示した遠隔制御処理を、ＭＦＰ１００，１０１，１０２に実行させる遠隔制御方法、または、その遠隔制御処理をＭＦＰ１００，１０１，１０２それぞれが備えるＣＰＵ１１１に実行させる遠隔制御プログラム、図１３に示した遠隔操作処理を携帯情報装置２００に実行させる遠隔操作方法、またはその遠隔操作処理を携帯情報装置２００を制御するＣＰＵ２０１に実行させる遠隔操作プログラムとして、発明を特定することができるのは言うまでもない。
【０１５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１５３】
＜付記＞
（１）  遠隔操作が開始された時点に第１表示手段に設定されたパラメータを携帯情報装置から取得する装置側取得手段をさらに備え、決定手段は、取得された距離と、遠隔操作が開始された時点に第１表示手段に設定されたパラメータと、第２表示手段に設定されたパラメータとに基づいて、更新用パラメータを決定する、請求項６に記載の画像形成装置。
（２）  決定手段は、取得された距離が、遠隔操作が開始された時点からの時間の経過に伴い小さくなる接近期間の間は、遠隔操作が開始された時点に第１表示手段に設定されたパラメータが第２表示手段に設定されたパラメータと同じ値になるまで更新用パラメータを携帯情報装置と画像形成装置との間の距離に比例する値に決定する接近期間決定手段と含む、（１）に記載の画像形成装置。
（３）  決定手段は、取得された距離が、第１表示手段に設定されたパラメータが第２表示手段に設定されたパラメータと同じ値となった時点からの時間の経過に伴い大きくなる離反期間の間は、第１表示手段に設定されたパラメータが遠隔操作が開始された時点に第１表示手段に設定されたパラメータと同じ値になるまで更新用パラメータを携帯情報装置と画像形成装置との間の距離に比例する値に決定する離反期間決定手段を含む、（１）または（２）に記載の画像形成装置。
（４）  決定手段は、離反期間の間は、取得された距離がしきい値以上になるまで更新用パラメータを決定しない連携中禁止手段を、さらに含む（３）に記載の画像形成装置。
（５）  決定手段は、取得された距離が所定の連携距離以下の間は、更新パラメータを装置パラメータに決定する連携期間決定手段を含む、（１）〜（４）のいずれかに記載の画像形成装置。
（６）  第２表示手段に設定されたパラメータを画像形成装置から取得するパラメータ取得手段を、さらに備え、決定手段は、取得された距離と、遠隔操作が開始された時点に第１表示手段に設定されたパラメータと、取得された第２表示手段に設定されたパラメータと、に基づいて、更新用パラメータを決定する、請求項７に記載の携帯情報装置。
（７）  決定手段は、取得された距離が、遠隔操作が開始された時点からの時間の経過に伴い小さくなる接近期間の間は、遠隔操作が開始された時点に第１表示手段に設定されたパラメータが第２表示手段に設定されたパラメータと同じ値になるまで携帯情報装置と画像形成装置との間の距離が短いほど、更新用パラメータの値を第２表示手段に設定されたパラメータに近い値に決定する接近期間決定手段と含む、（６）に記載の携帯情報装置。
（８）  決定手段は、取得された距離が、第１表示手段に設定されたパラメータが第２表示手段に設定されたパラメータと同じ値となった時点からの時間の経過に伴い大きくなる離反期間の間は、第１表示手段に設定されたパラメータが、遠隔操作が開始された時点に第１表示手段に設定されたパラメータと同じ値になるまで、携帯情報装置と画像形成装置との間の距離が長いほど、更新用パラメータを遠隔操作が開始された時点に第１表示手段に設定されたパラメータに近い値に決定する離反期間決定手段を含む、（６）または（７）に記載の携帯情報装置。
（９）  決定手段は、離反期間の間は、取得された距離がしきい値以上になるまで更新用パラメータを決定しない連携中禁止手段を、さらに含む（８）に記載の携帯情報装置。
（１０）  決定手段は、取得された距離が所定の連携距離以下の間は、更新パラメータを装置パラメータに決定する連携期間決定手段を含む、（６）〜（９）のいずれかに記載の携帯情報装置。
【符号の説明】
【０１５４】
１，１Ａ  連携システム、２  ネットワーク、１００，１０１，１０２  ＭＦＰ、２００  携帯情報装置、３００  サーバー、５００  無線局、１１０  メイン回路、１１１  ＣＰＵ、１１２  通信Ｉ／Ｆ部、１１３  ＲＯＭ、１１４  ＲＡＭ、１１５  ＥＥＰＲＯＭ、１１６  ＨＤＤ、１１７  ファクシミリ部、１１９  外部記憶装置、１１９Ａ  ＣＤ−ＲＯＭ、１２０  自動原稿搬送装置、１３０  原稿読取部、１４０  画像形成部、１５０  給紙部、１６０  操作パネル、１６１  表示部、１６３  操作部、１６５  タッチパネル、１７０  短距離無線通信部、２０１  ＣＰＵ、２０２  カメラ、２０３  フラッシュメモリー、２０４  無線通信部、２０５  通話部、２０６  表示部、２０７  操作部、２０７Ａ  タッチパネル、２０８  無線ＬＡＮＩ／Ｆ、２０９  外部記憶装置、２１０  短距離無線通信部、２１１  ＧＰＳセンサー、５１  操作受付部、５３  操作画面決定部、５５  装置側表示制御部、５７，５７Ａ  装置側通信制御部、５９，５９Ａ  遠隔制御部、６１  処理実行部、６３  遠隔操作画面送信部、６５  遠隔操作受信部、６７  距離取得部、６９  携帯パラメータ受信部、７１  指示送信部、７３  遠隔操作面決定部、７３  遠隔操作画面決定部、７５  装置パラメータ読出部、７７  決定部、７９  パラメータ変更指示部、８１  接近期間決定部、８３  連携期間決定部、８５  離反期間決定部、８７  連携中禁止部、９１  装置パラメータ送信部、２５１，２５１Ａ  通信制御部、２５３  撮像制御部、２５５，２５５Ａ  遠隔操作部、２６１  遠隔操作画面受信部、２６３  遠隔操作送信部、２６５  開始時パラメータ送信部、２６７  変更指示受信部、２６９  遠隔操作受付部、２７１  連携部分決定部、２７３  携帯側表示制御部、２７５  遠隔操作受付部、２７７  遠隔操作決定部、２７８  開始時パラメータ取得部、２７９  開始時パラメータ取得部、２８１  パラメータ変更部、２９１  距離取得部、２９３  装置パラメータ受信部、２９５  開始時パラメータ読出部、２９７  決定部、３００  サーバー、３０１  接近期間決定部、３０３  連携期間決定部、３０５  離反期間決定部、３０７  連携中禁止部。
【図１】
0005915676.tif 000002
【図２】
0005915676.tif 000003
【図３】
0005915676.tif 000004
【図４】
0005915676.tif 000005
【図５】
0005915676.tif 000006
【図６】
0005915676.tif 000007
【図７】
0005915676.tif 000008
【図８】
0005915676.tif 000009
【図９】
0005915676.tif 000010
【図１０】
0005915676.tif 000011
【図１１】
0005915676.tif 000012
【図１２】
0005915676.tif 000013
【図１３】
0005915676.tif 000014